(57)【要約】【課題】外観を損なうことなく天板の張り出し部を補強部材によって補強することができるキッチンカウンタを提供する。【解決手段】本発明のキッチンカウンタ１０は、背面パネル３２を有するキャビネット部１３と、キャビネット部１３の上部に設けられ、かつキャビネット部１３から背面側に張り出す張り出し部２２を有する天板１４と、張り出し部２２を補強する補強部材２１と、を備えており、補強部材２１は、張り出し部２２の厚さ範囲内で当該張り出し部２２に沿って配置される水平部２１Ａと、この水平部２１Ａから下方に延び、背面パネル３２の前側に配置されて当該背面パネル３２によって覆われる垂直部２１Ｂとから構成される。【選択図】  図５
2011177364.tif 000002
【特許請求の範囲】
【請求項１】
背面パネルを有するキャビネット部と、
前記キャビネット部の上部に設けられ、かつ前記キャビネット部から背面側に張り出す張り出し部を有する天板と、
前記張り出し部を補強する補強部材と、を備えており、
前記補強部材が、前記張り出し部の厚さ範囲内で当該張り出し部に沿って配置される水平部と、この水平部から下方に延び、前記背面パネルの前側に配置されて当該背面パネルによって覆われる垂直部とから構成されていることを特徴とするキッチンカウンタ。
【請求項２】
前記キャビネット部における前記背面パネルの前側に、当該背面パネルを取り付けるための柱部材が設けられ、前記補強部材の垂直部が、前記柱部材の側面に固定されている請求項１に記載のキッチンカウンタ。
【請求項３】
前記垂直部の側面には、前記柱部材に対して当該垂直部を仮止めする仮止具を挿入するための上下方向に長い第１の仮止孔と、前後方向に長い第２の仮止孔とが上下方向に離れて形成されている請求項２に記載のキッチンカウンタ。
【請求項４】
前記補強部材の垂直部が、前記背面パネルの前面に固定されている請求項１に記載のキッチンカウンタ。
【請求項５】
前記水平部は、前記天板の裏面に対して弾性接着剤により接着されている請求項１〜４のいずれかに記載のキッチンカウンタ。
【発明の詳細な説明】
【技術分野】
【０００１】
本発明は、キッチンカウンタ、例えばキッチンとリビングとの間に設置される対面式等のキッチンカウンタに関する。
【背景技術】
【０００２】
キャビネット（収納部）の上部に設けられた天板にシンクやコンロを備えたキッチンカウンタが広く利用されている。特に、近年においては、キッチンとリビングルームとの双方からアクセスすることが可能であり、キッチンで作った料理等を直接リビングルーム側へ供給することができる対面式のものが普及している。
また、この種の対面式のキッチンカウンタには、リビングルーム側からのアクセスや使い勝手をより良くするために、天板をリビングルーム側へ水平に張り出したものがある（例えば、特許文献１参照）。
【先行技術文献】
【特許文献】
【０００３】
【特許文献１】特開２００５−１３７５９１号公報
【発明の概要】
【発明が解決しようとする課題】
【０００４】
特許文献１に記載されたキッチンカウンタは、例えば図１０に示すように、天板１００の張り出し部１０１を支持するために、張り出し部１０１の裏面とキャビネット部１０５の背面パネル１０２との間にＬ字形状の補強部材１０３が取り付けられている。さらにこの補強部材１０３が外部に露出するのを防止するために、当該補強部材１０３を覆い隠すカバー部材１０４がキッチンカウンタの幅全体に亘って設けられている。
しかし、特許文献１のキッチンカウンタは、補強部材１０３そのものは外部に露出しないものの、比較的大型のカバー部材１０４が外部に突出してしまうため、さほど外観が向上するとは言い難い。
【０００５】
したがって、本発明は、天板の張り出し部を補強する補強部材やそのカバー部材によって外観が悪化してしまうのを防止するキッチンカウンタを提供することを目的とする。
【課題を解決するための手段】
【０００６】
本発明のキッチンカウンタは、背面パネルを有するキャビネット部と、前記キャビネット部の上部に設けられ、かつ前記キャビネット部から背面側に張り出す張り出し部を有する天板と、前記張り出し部を補強する補強部材と、を備えており、
前記補強部材が、前記張り出し部の厚さ範囲内で当該張り出し部に沿って配置される水平部と、この水平部から下方に延び、前記背面パネルの前側に配置されて当該背面パネルによって覆われる垂直部とから構成されていることを特徴としている。
【０００７】
この構成によれば、天板の張り出し部を補強する補強部材が、水平部と垂直部とからなり、水平部は天板の厚さ範囲内に設けられ、垂直部は背面パネルによって覆われている。したがって、補強部材のうち垂直部は外部に露出せず、水平部は張り出し部から外側へ突出しないので、補強部材によって外観が悪化してしまうのを防止することができる。
【０００８】
前記キャビネット部における前記背面パネルの前側に、当該背面パネルを取り付けるための柱部材が設けられ、前記補強部材の垂直部が、前記柱部材の側面に固定されていることが好ましい。
【０００９】
この構成のように、背面パネルを取り付けるための柱部材が背面パネルの前側に設けられている場合には、当該柱部材の側面に補強部材の垂直部を固定することによって、当該柱部材に対する背面パネルの取り付けを妨げることなく柱部材を利用して垂直部を取り付けることができる。
【００１０】
前記垂直部の側面には、前記柱部材に対して前記垂直部を仮止めする仮止具を挿入するための上下方向に長い長孔と、前後方向に長い長孔とが上下方向に離れて形成されていることが好ましい。
【００１１】
この構成によれば、上下方向に長い長孔を利用して垂直部を柱部材に仮止めすることで補強部材を上下方向に位置調整することができ、前後方向に長い長孔を利用して垂直部を柱部材に仮止めすることで補強部材の前後方向の位置や傾きを調整することができる。したがって、補強部材の垂直部を柱部材に仮止めしつつ、水平部の高さや傾きを張り出し部に合うように位置調整することができる。
【００１２】
また、前記補強部材の垂直部は、前記背面パネルに固定されていてもよい。これによって、背面パネルの前側に柱部材が無い場合や、補強部材を取り付けたい位置から柱部材が外れている場合等であっても、補強部材を取り付けることができる。
【００１３】
前記水平部は、前記天板の裏面に対して弾性接着剤により接着されていることが好ましい。
この構成によれば、例えば張り出し部が周囲の温度変化によって膨張収縮したとしてもその形状の変化を弾性接着剤によって吸収することができ、水平部に対する接着状態を好適に維持することができる。また、天板と水平部との衝突による音の発生を防止することができる。
【発明の効果】
【００１４】
本発明のキッチンカウンタによれば、外観を損なうことなく天板の張り出し部を補強部材によって補強することができる。
【図面の簡単な説明】
【００１５】
【図１】本発明の実施形態に係るキッチンカウンタの斜視図である。
【図２】同キッチンカウンタの側面図である。
【図３】図１のＡ部で示す部分の天板の底面図である。
【図４】図３のＢ−Ｂ断面図である。
【図５】図１のＣ−Ｃ矢視断面図である。
【図６】（ａ）は補強部材の平面図、（ｂ）は（ａ）のＤ−Ｄ断面図である。
【図７】補強部材の拡大側面図である。
【図８】本発明の第２の実施形態に係るキッチンカウンタにおける補強部材の拡大側面図（一部断面図）である。
【図９】（ａ）は第２の実施形態に係る補強部材の平面図、（ｂ）は（ａ）のＥ−Ｅ断面図である。
【図１０】従来技術に係るキッチンカウンタの側面図である。
【発明を実施するための形態】
【００１６】
以下、図面を参照して本発明の実施形態を説明する。
図１は本発明の実施形態に係るキッチンカウンタの斜視図、図２はキッチンカウンタの側面図である。キッチンカウンタ１０は、内部に収納空間が形成され、かつ前面に収納空間を開閉する扉１１等が設けられるとともに、後面に背面パネル３２が設けられたキャビネット部１３と、このキャビネット部１３の上部に設けられた天板１４と、この天板１４に設けられたシンク１５と、同じく天板１４に設けられたガスコンロやＩＨヒーター等の加熱調理器１６とを備えている。
【００１７】
天板１４の左右方向両側には、開口１８、１９が形成され、一方（右側）の開口１８には加熱調理器１６が装入され、他方（左側）の開口１９には、シンク１５が装入されている。この加熱調理器１６とシンク１５とは、室内におけるキッチンカウンタ１０の配置等に応じて左右の配置が適宜変更される。
【００１８】
本実施形態の天板１４は、アクリル系やポリエステル系等の樹脂材料に無機充填剤や硬化剤等を配合して硬化させた樹脂含有成形体からなる人工大理石が使用されている。また、天板１４は、平面視で長方形状に形成されており、キャビネット部１３の左右方向の幅に亘る左右方向幅と、キャビネット部１３の前後方向の幅を超えてさらに後側（図１において使用者が立つ側を前側とした場合の後側）に張り出す前後方向幅とを有している。
【００１９】
図３は、図１のＡ部で示す部分の天板１４の底面図、図４は、図３のＢ−Ｂ断面図である。図３に示すように、天板１４の裏面（下面）には、当該天板１４を補強するための裏貼材２３Ａ，２３Ｂが接着されている。この裏貼材２３Ａ，２３Ｂは、合板等の木材や合成樹脂材により形成された断面矩形状の帯板材又はブロック材等からなり、開口１８，１９を除く範囲で設けられている。
【００２０】
また、図４に示すように、キャビネット部１３から後方に張り出す天板１４の一部（張り出し部）２２の下面には化粧パネル（カバー部材）２７が設けられている。さらに、張り出し部２２は、補強金具（補強部材）２１によって補強され、その上下方向の撓みが抑制されている。
【００２１】
図５は、図１のＣ−Ｃ矢視断面図であり、キャビネット部１３は、キャビネット本体３１と、このキャビネット本体３１に取り付けられた背面パネル３２とを有する。この背面パネル３２は、合板等からなる下地パネル３２Ａと、この下地パネル３２Ａの表面（背面）に固定された化粧パネル３２Ｂとから構成されている。この化粧パネル３２Ｂはホーロー板や木製合板等から形成され、キャビネット部１３の他の部分、例えば、前面の扉１１（図１参照）と同じ色彩、模様を備えたものとなっている。
【００２２】
一方、キャビネット本体３１の背板３１Ａには、直接的に又はブラケット等を介して複数本の柱部材３５が幅方向に間隔をあけて設けられ、この柱部材３５に下地パネル３２Ａがビス等によって固定されている。柱部材３５は、上下方向に長い断面四角形の長尺木材からなる。本実施形態では、柱部材３５と背面パネル３２とが、キャビネット部１３の背面部の骨格をなす強度部材を構成している。そして、補強部材２１は、柱部材３５と天板１４とに固定されている。
【００２３】
図６（ａ）は補強部材２１の平面図、（ｂ）は（ａ）のＤ−Ｄ断面図である。図５及び図６に示すように、補強部材２１は、形鋼材やパイプ材等の金属製の部材によって形成されており、張り出し部２２に沿って配置される水平部２１Ａと、キャビネット部１３の背面に沿って配置される垂直部２１Ｂとから略Ｌ字形状に形成されている。
【００２４】
具体的に水平部２１Ａは、図６（ｂ）に示すように、下方に開放した断面略Ｃ字形状のリップ溝型鋼により形成されている。また、図５に示すように、水平部２１Ａは、張り出し部２２の上下幅（厚さ）ｔよりも小さく形成されている。また、図３及び図４に示すように、張り出し部２２の裏面に設けられた裏貼材２３Ａには、複数の凹所２３Ａ１が形成されており、この凹所２３Ａ１内に水平部２１Ａが配置されている。
【００２５】
水平部２１Ａの上面と天板１４の裏面とは、接着剤２４によって接着されている。この接着剤２４には、ウレタン系やシリコーン系等の弾性を有する接着剤（弾性接着剤）が使用されている。また、裏貼材２３Ａ及び水平部２１Ａは、その下面が化粧パネル２７に覆われることによって目隠しされている。なお、図３においては、化粧パネル２７の図示を省略している。
【００２６】
垂直部２１Ｂは、後方に開放した断面略Ｃ字形状のリップ溝型鋼により形成され、水平部２１Ａの上下幅よりも大きい寸法の前後幅に形成されている。垂直部２１Ｂの側面には、ビス等の取付具を挿入するための孔２１Ｂ１が複数個（図示例では４個）形成され、この孔２１Ｂ１に挿入された取付具によって垂直部２１Ｂが柱部材３５の側面に固定されている。また、垂直部２１Ｂの側面には、当該垂直部２１Ｂを柱部材３５の側面に仮止めするビス等の仮止具を挿入するための上下２つの仮止め孔２１Ｂ２，２１Ｂ３が形成されている。上側の仮止め孔２１Ｂ２は上下方向に長い長孔とされ、下側の仮止め孔２１Ｂ３は前後方向に長い長孔とされている。
【００２７】
次に、補強部材２１をキッチンカウンタ１０に取り付ける手順について説明する。補強部材２１は、キャビネット本体３１に対して、天板１４や背面パネル３２、化粧パネル２７を取り付ける前に取り付けられる。
図７に示すように、まず、補強部材２１の垂直部２１Ｂに形成された仮止孔２１Ｂ２を利用して、垂直部２１Ｂの上部側を柱部材３５の側面に対して仮止めする。このとき、仮止孔２１Ｂ２の長さの範囲で補強部材２１を上下方向に動かすことができるので（矢印ａ参照）、水平部２１Ａを天板１４の裏面の高さに相当する高さに調整することができる。次に、仮止孔２１Ｂ３を利用して、垂直部２１Ｂの下部側を柱部材３５の側面に対して仮止めする。このとき、仮止孔２１Ｂ３の長さの範囲で垂直部２１Ｂの下部側を前後に動かすことができるので（矢印ｂ参照）、水平部２１Ａの前後の傾きを水平に調整することができる。そして、水平部２１Ａの高さ及び傾きが適切に設定された状態で、垂直部２１Ｂに形成された取付孔２１Ｂ１を利用して、垂直部２１Ｂを柱部材３５に固定する。
【００２８】
次に、水平部２１Ａの上面に接着剤２４を塗布し、この水平部２１Ａが裏貼材２３Ａの凹所２３Ａ１内に位置するように、キャビネット本体３１の上面に天板１４を載せ、水平部２１Ａの上面と天板１４の裏面とを接着剤２４により接着・固定する。補強部材２１の水平部２１Ａは、予め適切な高さ及び傾きに設定されているので、この水平部２１Ａの上面に沿わせて天板１４を接着することで、当該天板１４の高さ及び傾きも適切に設定される。以上の作業により補強部材２１が張り出し部２２及び柱部材３５に固定される。その後、図５に示すように、柱部材３５の後面にビス等によって下地パネル３２Ａを固定し、この下地パネル３２Ａの表面に化粧パネル３２Ｂを接着剤や両面テープ等によって固定する。また、水平部２１Ａ及び裏貼材２３Ａの下面に接着剤や両面テープ等によって化粧パネル２７を固定する。以上の作業でキッチンカウンタ１０の据え付けが完了する。なお、以上の作業は一例であり、据付現場の状況等に応じて適宜変更することが可能である。例えば、キャビネット本体３１に対して天板１４を取り付ける前に、背面パネル３２を取り付けてもよい。
【００２９】
以上説明したように、本実施形態のキッチンカウンタ１０によれば、天板１４の張り出し部２２の補強のために補強金具２１が設けられおり、この補強部材２１の水平部２１Ａは、張り出し部２２の厚さｔの範囲内に収められて下面が化粧パネル２７によって覆われ、補強部材２１の垂直部２１Ｂは、背面パネル３２によって後方から覆われている。そのため、従来技術（図１０参照）のように補強部材が外部に突出したり露出したりすることはなく、補強部材２１を設けることによる外観の悪化を防止することができる。
【００３０】
また、補強部材２１の垂直部２１Ｂは、柱部材３５の側面に取り付けられているので、柱部材３５に対する背面パネル３２の取り付けを妨げることなく、補強部材２１を取り付けることができる。
【００３１】
また、垂直部２１Ｂには、上下方向に長い仮止孔２１Ｂ２と、前後方向に長い仮止孔２１Ｂ３とが上下方向に離れて形成されているので、これら仮止孔２１Ｂ２，２１Ｂ３を利用して水平部２１Ａの上面を適切な高さ及び傾きに設定することができる。そのため、天板１４の高さ及び傾きも適切に設定することができる。
【００３２】
補強部材２１の水平部２１Ａは、天板１４に対して弾性接着剤２４を介して接着されているので、周囲の温度変化によって張り出し部２２が水平部２１Ａとは異なる量だけ撓んだとしても、当該撓みを吸収し、水平部２１に対する接着力が弱まるのを防止することができる。また、弾性接着剤２４によって、補強部材２１が天板１４に衝突することによる音の発生も防止することができる。
【００３３】
図８は、本発明の第２の実施形態に係るキッチンカウンタにおける補強部材の拡大側面図（一部断面図）であり、図９（ａ）は第２の実施形態に係る補強部材の平面図、（ｂ）は（ａ）のＥ−Ｅ断面図である。
本実施形態の補強部材２１は、垂直部２１Ｂが、前方に開放した断面略Ｃ字形状のリップ溝型鋼により形成されており、第１の実施形態における補強部材２１の垂直部２１Ｂ（図６参照）とは前後の向きが逆になっている。そして、本実施形態の垂直部２１Ｂの背面には複数の取付孔２１Ｂ４が形成されている。そして、補強部材２１の垂直部２１Ｂは、第１の実施形態のように柱部材３５に取り付けられるのではなく、取付孔２１Ｂ４を用いて背面パネル３２の下地パネル３２Ａにビス等の取付具により取り付けられる。
したがって、補強部材２１の取付のために柱部材３５は不要であり、この柱部材３５の位置に依存することなく補強部材２１を取り付けることができる。
【００３４】
垂直部２１Ｂの背面の上部には、上下方向に長い仮止め孔２１Ｂ５が形成されている。従って、取付孔２１Ｂ４を用いて垂直部２１Ｂを背面パネル３２に固定するまえに、仮止め孔２１Ｂ５を用いて垂直部２１Ｂを仮止めし、仮止め孔２１Ｂ５の長さの範囲内で水平部２１Ａの高さを適切に設定することができる。
また、垂直部２１Ｂの背面の下部には、雌ネジを有する調整孔２１Ｂ６が形成されている。そして、この調整孔２１Ｂ６にネジ等の調整具を螺合してその先端を背面パネル３２Ａの前面に当接し、螺合量を調整することによって、水平部２１Ａの傾きを調整することができる。
【００３５】
なお、本実施形態の場合、補強部材２１は、予め背面パネル３２の下地パネル３２Ａに取り付けられており、下地パネル３２Ａをキャビネット本体３１に取り付けることによって、補強部材２１も取り付けられるようになっている。また、図８において、張り出し部２２の下面には、第１の実施形態のような化粧パネル２７（図５参照）は設けられていないが、補強部材２１の水平部２１Ａは、張り出し部２２の厚さｔの範囲内に収められているので、水平部２１Ａが張り出し部２２から下方に突出することはなく、補強部材２１を設けることによる外観の悪化を防止することができる。ただし、本実施形態においても第１の実施形態と同様に張り出し部２２の下面に化粧パネル２７を設けてもよい。逆に、第１の実施形態において、化粧パネル２７を省略することも可能である。
【００３６】
本発明は、上記実施形態に限定されることなく適宜設計変更可能である。
例えば、天板１４に対する補強部材２１の水平部２１Ａの固定は、接着剤２４に限らずネジ止め等の他の手段であってもよい。
また、補強部材２１の垂直部２１Ｂは、キャビネット本体３１の背板３１Ａに固定されていてもよい。
【００３７】
補強部材２１の水平部２１Ａや垂直部２１Ｂには、断面略Ｃ字形状のリップ溝形鋼が使用されているが、他の断面形状の形鋼、例えば溝型鋼、Ｈ型鋼等を使用することもできる。
【符号の説明】
【００３８】
１０：  キッチンカウンタ
１３：  キャビネット部
１４：  天板
２１：  補強部材
２１Ａ：  水平部
２１Ｂ：  垂直部
２１Ｂ２：  第１の仮止孔
２１Ｂ３：  第２の仮止孔
２２：  張り出し部
２４：  弾性接着剤
３２：  背面パネル
３５：  柱部材
【図１】
2011177364.tif 000003
【図２】
2011177364.tif 000004
【図３】
2011177364.tif 000005
【図４】
2011177364.tif 000006
【図５】
2011177364.tif 000007
【図６】
2011177364.tif 000008
【図７】
2011177364.tif 000009
【図８】
2011177364.tif 000010
【図９】
2011177364.tif 000011
【図１０】
2011177364.tif 000012